(57)【特許請求の範囲】
【請求項１】
上糸の下方に形成されている上糸折返部の下端にハナカンを取り付け、背針、逆針及び掛け針を取り付けた下糸の前記背針の上部に形成した下糸折返部の上端に、上糸折返部を挿通することができるような略円形の左挿通孔及び右挿通孔を設け、略メガネ状の連結部を形成し、該略メガネ状の連結部に前記上糸折返部に移動可能に連結させたことを特徴とする釣り針。
【発明の詳細な説明】
【０００１】
【発明が属する技術分野】
本発明は、オトリ鮎に取り付ける背針仕掛けによる密着型の釣り針に関する改良発明である。即ち、縄張りをもつ野鮎は、川底すれすれを泳ぐ習性があり、このような習性のある野鮎を釣り上げるためには、野鮎以上にオトリ鮎を潜らせないと野鮎が反応し、掛からないことが分かっている。そこで、本発明はオトリ
鮎に取り付けて野鮎よりも潜ることができる釣り針に関する発明である。
【０００２】
【従来の技術】
従来、鮎釣りの際には、根掛かりが少ない背針仕掛けが多く普及し使用されている。また、近年、軽量長竿や極細糸等の使用により、鮎釣りの際には、オトリ鮎を潜らせるために胴締め仕掛けやオモリを使用しての仕掛けが考案され使用されている。
【０００３】
従来のオトリ鮎用の釣り針１４は、図７に示すように、上糸１５の下端にハナカン１６を縛り付け、ハナカン１６に中糸１７を縛り付け、中糸１７に逆針１８を縛り付け、逆針１８に下糸１８ａを縛り付けて、下糸１８ａに掛け針１９を縛り付けた構造である。
【０００４】
そして、図８に示すように、従来のオトリ鮎用の釣り針１４は、ハナカン１６をオトリ鮎１０の頭部１０ａの鼻穴に差し込み逆針１８を尻鰭付近に打ち込むことによりオトリ鮎１０に取り付けている。
【０００５】
【発明が解決しようとする課題】
しかしながら、前述のスタンダードな仕掛けや現在普及している一般の背針仕掛けは、オトリ鮎が引かれる支点がオトリ鮎の体から離れているため、ある程度までの流れならオトリ鮎を沈めることができるが、あまり速すぎる流れではオトリ鮎を沈めることができず、流れの速いところなどでの使用には向かないという欠点がある。
【０００６】
また、少しでもオトリ鮎が弱すぎると、沈めることはできてもすぐ浮いてしまい、オトリ鮎の左右の動きが安定せず、１０ｍの長竿を使っての面の釣りには効果が薄い。
【０００７】
また、一般の背針の場合、野鮎が掛かった時この背針が外れず、元気のいいオトリ鮎と野鮎の２匹分の負荷が水中糸にかかるため、糸切れをおこし２匹ともバラしてしまうことが多い。仕掛けを作るにしてもシンプルな仕掛けに比べて手間がかかり、使い方にも神経を使わなくてはならないという欠点があった。
【０００８】
更に、胴締め仕掛けは、オトリ鮎が多少弱っていても底まで十分に沈めることができるが、オトリ鮎をその仕掛けにセットすることが難しく、時間に手間取ることからオトリ鮎を弱らせてしまうという欠点があり、入れ掛かけの時には特に不向きと言える。
【０００９】
加えて、オモリ仕掛けは、オモリ自体が底石の間に挟まり、根掛りが発生する。釣り方も素人には難しく、オトリ鮎も弱らせてしまい、市販の長竿には不向きである。
【００１０】
そこで、本発明は、この背針り仕掛け用釣り針をオトリ鮎に取り付けてもオトリ鮎を十分に沈めることができ、掛かっても背針が自動的に抜けるため掛かってもオトリ鮎と野鮎の距離が短くて済むため、長竿で引き抜いた場合に直径６０ｃｍのタモ内に見事に２匹をキャッチすることができる。
【００１１】
つまり、この距離が少しでも長いと掛かり鮎だけキャッチすることになり、仕掛け切れのトラブルも起こしやすくなる。従来よりも簡単に引き抜くことが可能になり、オトリ鮎と野鮎の距離が短いため、本発明は引き抜いてもタモ内に２匹ともおさまり、かつ全体がシンプルな仕掛けであるためタモ内でも糸がからむなどのトラブルも発生することがない。
【００１２】
そして、元気な野鮎を次のオトリ鮎に使用することができ、オトリ鮎の体に密着しているため胴締めと同じ効果が得られて、仕掛けを作る手間を省くことを可能とした釣り針を提供することを目的とするものである。
【００１３】
【課題を解決するための手段】
本発明は、上記の課題を解決するために、上糸１ａの下方に形成されている上糸折返部３の下端にハナカン４を取り付け、背針６、逆針８及び掛け針９を取り付けた下糸１ｂの前記背針６の上部２に形成した下糸折返部５の上端に、前記上糸折返部３を挿通することができるような略円形の左挿通孔５ｄ及び右挿通孔５ｅを設け、略メガネ状の連結部５ｃを形成し、該略メガネ状の連結部５ｃに前記上糸折返部３に移動可能に連結させたことを特徴とする釣り針１の構成とした。
【００１４】
【実施例】
以下に、添付図面に基づき、本発明である釣り針について詳細に説明する。
図１は、本発明である釣り針の正面図である。図１に示すように、本発明である釣り針１は、１本の上糸１ａと１本の下糸１ｂと前記上糸１ａ及び下糸１ｂに取り付けるハナカン４、背針６等からなる。
【００１５】
図１に示すように、上糸１ａは、上糸１ａの上部２とハナカン４が取り付けられている上糸折返部３とからなる。ハナカン４は、上糸折返部３の先端に結ばれ結び目３ｃで取り付けられている。
【００１６】
即ち、上糸１ａの糸上部２と上糸折返部３を構成する往糸３ａと復糸３ｂは１本の糸である。糸上部２は上糸折返部３の往糸３ａとなり、往糸３ａの先端にハナカン４を結び、結び目３ｃから折り返されて復糸３ｂとなり、復糸３ｂの先端は糸上部２に結びつけられ、結び目２ａが形成されている。
【００１７】
図１に示すように、上糸１ａに結びつけられている下糸１ｂもまた１本の糸である。下糸１ｂの下糸折返部５と中糸部７間には背針６が、中糸部７と下糸部８ａ間には逆針８が取り付けられている。
【００１８】
そして、下糸部８ａの下端には掛け針９が取り付けられている。下糸１ｂは、ハナカン４から約３ｃｍの位置に連結し、背針６は連結部５ｃから約３ｃｍの位置に取り付けられている。
【００１９】
図２は、本発明である釣り針の一部拡大図である。図２に示すように、上糸折返部３の構造と上糸折返部３に下糸折返部５がどのように連結しているかを明確にするための図である。
【００２０】
図２に示すように、１本の上糸１ａに形成される上糸折返部３は、往糸３ａと復糸３ｂからなる。上糸折返部３を構成する往糸３ａにはハナカン４が取り付けられていて、ハナカン４には結び目３ｃが形成されている。
【００２１】
下糸折返部５の上端には、上糸折返部３の往糸３ａ及び復糸３ｂを挿通することができるような略円形の左挿通孔５ｄ及び右挿通孔５ｅを設け、略メガネ状の連結部５ｃを形成する。前記左右挿通孔５ｄ、５ｅ内に往糸３ａ及び復糸３ｂを挿通する。
【００２２】
このような構造であるから、上糸折返部３に連結している下糸折返部５は、上糸折返部３を矢印ａの方向又は矢印ｂの方向に移動することが可能である。最大の移動距離は、ハナカン４から結び目２ａまでである。
【００２３】
下糸１ｂの中糸部７上に形成されている下糸折返部５は、中糸部７が連続していて往糸５ａとなり、メガネ型の連結部の左右挿通孔５ｄ、５ｅを形成し、更に連続して復糸５ｂとなり、復糸５ｂの先端に背針６が取り付けられている。中糸部７と往糸５ａと復糸５ｂは、１本の糸である。
【００２４】
図３は本発明である釣り針をオトリ鮎に取り付けた状態の正面図、図５は本発明である釣り針をオトリ鮎に取り付けた状態の一部拡大図である。図３及び図５に示すように、オトリ鮎１０に本釣り針１を取り付けるには、ハナカン４を頭部１０ａの鼻穴に差し込み、背針６はオトリ鮎１０の背中１０ｂに打ち（上糸を引くことでオトリ鮎１０の体に密着させ）込み、逆針８は胴体１０ｃの尾鰭中間部１０ｄに打ち込み取り付ける。
【００２５】
図４は、本発明である釣り針をオトリ鮎に取り付けた状態で水中を遊泳している正面図である。図４に示すように、本釣り針１をオトリ鮎１０に取り付けた状態で、オトリ鮎１０は水中を川の流れ１３に対して元気に上へ上りながら遊泳する。
【００２６】
オトリ鮎１０が水中１１を上へ上りながら遊泳している時は、オトリ鮎１０の頭部１０ａは、水面へ浮き上がらず川底１２に向かって遊泳している。これは、まだオトリ鮎１０が元気であるからである。
【００２７】
このように、オトリ鮎１０が頭部１０ａを川底１２方向に向けて遊泳していることが、野鮎より川底１２すれすれを上へ上りながら遊泳することで野鮎が反応しやすい状態となり、掛け針９に掛かる確率が高くなる。
【００２８】
図６は、本発明である釣り針をオトリ鮎に取り付けて釣り糸を引っ張った時の釣り針の動き及びオトリ鮎の動きを示した一部拡大図である。図６に示すように、本釣り針１をオトリ鮎１０に取り付けた状態で、上部２を矢印ｃ方向に引っ張ると、上糸折返部３に連結されている下糸折返部５は矢印ｅ方向に移動し、ハナカン４は矢印ｈ方向に動いて倒れる。
【００２９】
下糸折返部５が矢印ｅ方向に移動して、更に上部２を矢印ｃ方向と同じ方向である矢印ｇ方向に引っ張る。
【００３０】
水中を遊泳しているハナカン４が後方に倒れ、オトリ鮎１０を引く支点が従来のものより後方になり、オトリ鮎１０の頭部１０ａが矢印ｆ方向、即ち、川底１２に向いた状態で遊泳する。つまり、胴締め効果と同様の効果が最大級にもたらされることになる。
【００３１】
このように、オトリ鮎１０が頭部１０ａを川底１２に向けて遊泳していると、オトリ鮎１０以外の野鮎は、威勢のいいオトリ鮎１０を自分の縄張りを奪う敵と思って襲ってくるためにオトリ鮎１０の尻尾の方にある掛け針９に引っ掛かり釣り上げることができる。
【００３２】
【発明の効果】
本発明は、以上に説明したような構成であるから以下の効果が得られる。第１に、オトリ鮎は、川底に頭部を向けた状態で水中を遊泳することとなるので、その他の鮎は、本釣り針を構成する掛け針に掛かる確率が極めて高くなる。
【００３３】
また、オトリ鮎が少々弱っていても、オトリ鮎の頭部が川底に向いた状態で遊泳するために、オトリ鮎を長時間を釣り針に取り付けて使用することができることとなる。
【００３４】
更に、野鮎が掛かった時間、後方に引かれ自動的に抜けるため、オトリ鮎が今度は、鼻の頭から引き抜かれるため、２匹分の鮎の負荷が水中糸にかからず、スッと水中から抜けてくる。
【００３５】
また、オトリ鮎を引く支点が範囲内で自由に調節できるため、瀬では前へ、トロ場では中間から後方に変えることができ、幅の広い釣り方が可能になる。
【図面の簡単な説明】
【図１】本発明である釣り針の正面図である。
【図２】本発明である釣り針の一部拡大図である。
【図３】本発明である釣り針をオトリ鮎に取り付けた状態の正面図である。
【図４】本発明である釣り針をオトリ鮎に取り付けた状態で水中を遊泳している正面図
である。
【図５】本発明である釣り針をオトリ鮎に取り付けた状態の一部拡大図である。
【図６】本発明である釣り針をオトリ鮎に取り付けて釣り糸を引っ張った時に釣り針の
動きを示した一部拡大図である。
【図７】従来の釣り針の正面図である。
【図８】従来の釣り針をオトリ鮎に取り付けた状態の正面図である。
【符号の説明】
１      釣り針
１ａ    上糸
１ｂ    下糸
２      上部
２ａ    結び目
３      上糸折返部
３ａ    往糸
３ｂ    復糸
３ｃ    結び目
４      ハナカン
５      下糸折返部
５ａ    往糸
５ｂ    復糸
５ｃ    連結部
５ｄ    左挿通孔
５ｅ    右挿通孔
６      背針
７      中糸部
８      逆針
８ａ    下糸部
９      掛け針
１０    オトリ鮎
１０ａ  頭部
１０ｂ  背中
１０ｃ  胴体
１０ｄ  尾鰭中間部
１１    水中
１２    川底
１３    川の流れ
１４    釣り針
１５    上糸
１６    ハナカン
１７    中糸
１８    逆針
１８ａ  下糸
１９    掛け針
【図１】
0003577699.tif 000002
【図２】
0003577699.tif 000003
【図３】
0003577699.tif 000004
【図４】
0003577699.tif 000005
【図５】
0003577699.tif 000006
【図６】
0003577699.tif 000007
【図７】
0003577699.tif 000008
【図８】
0003577699.tif 000009